(57)【要約】【目的】自走装置を有しない小型ボーリングマシンを１人で移動することができるボーリングマシンの移動装置を提供するものである。【解決手段】ボーリングマシン（１２）の機体後部の幅より車軸（２）が短い前輪用装置（１）に牽引操作棒（５）とボーリングマシンのロッド受け部（４）を設け、また、車軸（７）がボーリングマシン（１２）の機体後部が収まる車軸幅を有する後輪用装置（７）を形成し、該後輪用装置（７）の車軸（８）にボーリングマシン受け台（１０）を設け、ボーリングマシン（１２）の掘削作業時に前輪用装置（１）に代えてボーリングマシンの下部に挿入される固定用角材（１１）とからなる自走しないボーリングマシンの移動装置である。【選択図】      図７
2004169423.tif 000002
【特許請求の範囲】
【請求項１】
自走式でない小型ボーリングマシンの移動に用いる装置において、前輪用装置と後輪用装置とを連結固定せず分離してなる台車に形成し、該台車により所定場所に移動した小型ボーリングマシンを支持する前記前輪用装置を掘削作業時に外し、外した前輪用装置に代え固定用角材でボーリングマシンを支持することを特徴とする小型ボーリングマシンの移動装置。
【請求項２】
小型ボーリングマシンの移動に用いる装置において、後輪用装置の車軸の長さを、載置する小型ボーリングマシンの機体後部が収まる車軸幅とするとともに、該車軸に小型ボーリングマシンの下面との嵌合部を設け、一方、前輪用装置の車軸を後輪用装置の車軸より短軸に形成し、該車軸に牽引棒及びボーリングマシンのスピンドルのロッドを支承するロッド受け部をそれぞれ設けた台車に形成し、また、掘削作業時のボーリングマシン固定用角材をボーリングマシンの後部幅より長い角材に形成したことを特徴とするボーリングマシンの移動装置。
【発明の詳細な説明】
【０００１】
【発明の属する技術分野】
本発明は自走式でない小型ボーリングマシンの移動装置に関するものである。
【０００２】
【従来の技術】
従来小型ボーリングマシン（５．５ｋｗ級、重量０．５〜０．６ｔ以下のもので自走装置を装備していないもの）の工事現場での移動方法には、次のような手段が用いられていた。
【０００３】
第一は、図８に示すように、バール（鉄棒）ａを用い梃子のようにボーリングマシンＭの基体ｂの下に差し込み、ボーリングマシンＭの一端を浮かし、そこに単管パイプｃを複数本挿入してバールａを外す。この挿入した単管パイプｃからなる「ころ」を車輪代わりにして人力で移動させる方法である。
【０００４】
第二及び第三の方法については図示しないが、第二の方法は、クレーンでボーリングマシンを吊り上げ移動する方法であり、また、第三の方法は、ボーリングマシンを移動台車（スライドベース）に載せて、スライドベースを敷設した軌道桁上で走行させる方法の、以上概略３種類の方法が採られていた。
【０００５】
【発明が解決しようとする課題】
第一の単管パイプをころとして用いる方法における問題点は、通常バールａをボーリングマシンＭの基体ｂの下部に差し込んで、バールａを梃子として操作する作業員と、単管パイプｃを挿入する作業員の２人が必要であり、また、足場とボーリングマシンの間に手や足を挟まれる危険性があること、作業が繁雑で非能率的であることなどの問題があった。
【０００６】
第二のクレーンでボーリングマシンを吊り下げ移動する方法は、狭隘の現場や上空制限があるなどで、クレーンが入れないような現場には使用できないこと、さらに、玉掛け作業が伴い非能率的であること等の問題があった。
【０００７】
第三のボーリングマシンを載置した移動台車を軌道桁上を走行させる方法は、改良体の打設地盤の平面が曲率の大きい曲線状で蛇行している場合や移動台車を設置できない狭隘部では、軌道桁の敷設が難しく、かえって非能率的になるという問題があった。
【０００８】
本発明は、必要作業人員が１人で、安全性にも優れ、クレーン等の補助機械を使用する必要がなく、軌道桁の敷設の必要もない能率的な小型ボーリングマシンの移動装置を提供することを目的としている。
【０００９】
【課題を解決するための手段】
本発明は上記の課題を解決するために、自走式でない小型ボーリングマシンの移動に用いる装置において、前輪用装置と後輪用装置とを連結固定せず分離してなる台車に形成し、該台車により所定場所に移動した小型ボーリングマシンを支持する前記前輪用装置を掘削作業時に外し、外した前輪用装置に代え固定用角材でボーリングマシンを支持する小型ボーリングマシンの移動装置としたことである。
【００１０】
また、小型ボーリングマシンの移動に用いる装置において、後輪用装置の車軸の長さを、載置する小型ボーリングマシンの機体後部が収まる車軸幅とするとともに、該車軸に小型ボーリングマシンの下面との嵌合部（ボーリングマシン受け台）を設け、一方、前輪用装置の車軸を後輪用装置の車軸より短軸に形成し、該車軸に牽引棒及びボーリングマシンのスピンドルのロッドを支承するロッド受け部をそれぞれ設けた台車に形成し、また、掘削作業時のボーリングマシン固定用角材をボーリングマシンの後部幅より長い角材に形成したボーリングマシンの移動装置としたことである。
【００１１】
すなわち、本発明の装置は、ボーリングマシンの機体後部の幅より車軸の幅が狭い前輪用装置の該車軸に、牽引棒及びボーリングマシンのスピンドルのロッドを支承するロッド受け部を設けた前輪用装置と、一方、ボーリングマシン後部の幅が収まる車軸距離を有する後輪用装置と、ボーリングマシン固定用角パイプとで構成される一組の移動装置としたことである。
また、前輪用装置の車軸に受けた牽引棒を、二輪車のようにハンドルが切れるように構成する。
【００１２】
【発明の実施の形態】
本発明の実施の形態を実施例にもとづき図面を参照して説明する。
図１は本発明の自走式でないボーリングマシンの移動装置における前輪用装置の側面図、図２は同平面図でる。
図１〜２において、１は前輪用装置であり、該前輪用装置１の車軸２の幅は、ボーリングマシン１１の機体の後部の横幅より狭く形成されている。
この車軸２はＴ形状のパイプからなり、車軸２の長手方向の両端部に車輪３、３が取り付けられており、車軸２の中央に形成されている凸起軸をボーリングマシンのスピンドルのロッドを支承するロッド受け部４に形成し、牽引棒５とロッド受け部間にステー６を設ける。
【００１３】
図３は本発明のボーリングマシンの後輪用装置の平面図であり、図４は同側面図である
後輪用装置７は、車軸８をボーリングマシンの後部機体幅が収まる幅とし、車軸８の両端に取り付けた車輪９，９の内側の車軸にボーリングマシン受け台１０を設けて成る。
【００１４】
図５は、固定用角材の平面図、図６は同側面図である。
この固定用角材１１は、所定の場所に移動されてきたボーリングマシンで掘削作業を行う際に、該ボーリングマシンを搬送してきた前輪用装置１をボーリングマシンから外した後、ボーリングマシンを固定するための角材で、この固定用角材として単管角パイプを用いる。
【００１５】
上記移動用台車を構成する前輪用装置１及び後輪用装置７は、フレームなどで一体に固定せず、分離した構造からなる。
次に、本発明の装置の現場での使用方法を図７により説明する。前輪用装置１のセット方法は、ボーリングマシン１２のスピンドル１３を下げロッド１４を足場面に突っ張らせボーリングマシン１２を浮かす。
ボーリングマシンヘッド側に敷かれている固定用角材１１を外し、前輪用装置１のロッド受け部４をスピンドル１３のロッド１４の下に位置させてからスピンドル１３を上げ、マシンヘッド部のロッド１４をロッド受け部４に載せる。
【００１６】
後輪用装置７については、ボーリングマシン１２を略水平に保ち、ボーリングマシン１２の機体後部に、後輪用装置７を挿入してから固定用角材１１を外す。これでボーリングマシン１２に前輪用装置１と後輪用装置７がセットされて、前輪用装置１から伸びる牽引棒５を引きながら、１人の作業員で曲線状にも簡単にボーリングマシン１２を削孔位置まで移動できたら、再びボーリングマシンのスピンドル１２を下げてロッド１４を足場面に突っ張らせボーリングマシン１２を浮かし、前輪用装置１をマシンヘッド部から外し、ボーリングマシン１２の下面に固定角パイプ１１を挿入する。
これでボーリングマシンは水平に固定され、削孔作業を行うことができる。次回移動時にはマシン固定用角パイプを取り外し、前回と同様に前輪用装置１をセットする。
【００１７】
【発明の効果】
このように構成された移動装置を用いることによって、１人の作業員でクレーン等の吊り上げ機械を必要とせず、簡単な操作で、曲線部の移動も容易に行うことができるので、経済的においても安全面においても優れたボーリングマシン移動の効果を得ることができる。
【図面の簡単な説明】
【図１】本発明のボーリングマシン移動装置における前輪用装置の側面図である
【図２】本発明のボーリングマシン移動装置における前輪用装置の平面図である。
【図３】本発明のボーリングマシン移動装置の後輪用装置の平面図である。
【図４】同上の側面図である。
【図５】本発明のボーリングマシン移動装置におけるボーリングマシン固定用角パイプの平面図である。
【図６】同上の側面図である。
【図７】本発明のボーリングマシン移動装置のセット状況図である。
【図８】従来の単管とバールを用いたボーリングマシンの移動作業概念図である。
【符号の説明】
１  前輪用装置
２  車軸
３  車輪
４  ロッド受け部
５  牽引棒
６  ステー
７  後輪用装置
８  車軸
９  車輪
１０  ボーリングマシン受け台
１１  固定用角材
１２  ボーリングマシン
１３  スピンドル
１４  ロッド
【図１】
2004169423.tif 000003
【図２】
2004169423.tif 000004
【図３】
2004169423.tif 000005
【図４】
2004169423.tif 000006
【図５】
2004169423.tif 000007
【図６】
2004169423.tif 000008
【図７】
2004169423.tif 000009
【図８】
2004169423.tif 000010